Podtech/llm-jp-corpus-v4-ja_patent huggingface dataset:
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2020504165.tif 000001
またはそれらの薬学的に許容される塩。
【請求項２】
以下の式の化合物：
【化２】
2020504165.tif 000002
またはそれらの薬学的に許容される塩である、請求項１に記載の化合物。
【請求項３】
以下の式の化合物：
【化３】
2020504165.tif 000003
またはそれらの薬学的に許容される塩である、請求項１に記載の化合物。
【請求項４】
以下の式の化合物：
【化４】
2020504165.tif 000004
またはそれらの薬学的に許容される塩である、請求項１に記載の化合物。
【請求項５】
以下の式の化合物：
【化５】
2020504165.tif 000005
またはそれらの薬学的に許容される塩である、請求項１に記載の化合物。
【請求項６】
以下の式の化合物：
【化６】
2020504165.tif 000006
またはそれらの薬学的に許容される塩である、請求項１に記載の化合物。
【請求項７】
以下の式の化合物：
【化７】
2020504165.tif 000007
またはそれらの薬学的に許容される塩である、請求項１に記載の化合物。
【請求項８】
請求項１〜７のいずれか１項に記載の化合物またはそれらの薬学的に許容される塩および薬学的に許容される担体を含む医薬組成物。
【請求項９】
小コンダクタンスカルシウム活性化カリウムチャネル（ＳＫチャネル）の調節に応答性の疾患または状態の処置に使用するための、請求項８に記載の医薬組成物。
【請求項１０】
前記疾患または状態が、ＳＫ２チャネルの調節に対する応答である、請求項９に記載の医薬組成物。
【請求項１１】
前記疾患または状態が、神経変性疾患、認知症、心疾患、常用の中止に関連する離脱症状、代謝疾患、および膀胱疾患から選択される、請求項９に記載の医薬組成物。
【請求項１２】
前記疾患または状態が、運動失調、異緊張症、振戦、パーキンソン病、虚血、外傷性脳損傷、筋萎縮性側索硬化症、高血圧、アテローム性動脈硬化症、糖尿病、不整脈、過敏性膀胱、およびアルコールおよび他の依存性薬物の濫用の中止によって引き起こされる離脱症状から選択される、請求項９に記載の医薬組成物。
【請求項１３】
前記疾患または状態が本態性振戦である、請求項１２に記載の医薬組成物。
【請求項１４】
前記疾患または状態が運動失調である、請求項１２に記載の医薬組成物。
【請求項１５】
前記疾患または状態が脊髄小脳失調症である、請求項１４に記載の医薬組成物。
【請求項１６】
前記疾患または状態が不安である、請求項１０に記載の医薬組成物。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
インターフェロンポリペプチドとヒ素化合物とを含む、ＪＡＫ２−ＳＴＡＴシグナル伝達経路のディスレギュレーションを呈する患者における骨髄増殖性障害を処置するための医薬組成物。
【請求項２】
インターフェロンポリペプチドとヒ素化合物とを備える、ＪＡＫ２−ＳＴＡＴシグナル伝達経路のディスレギュレーションを呈する患者における骨髄増殖性障害を処置するためのキット。
【請求項３】
患者が、骨髄増殖性新生物（ＭＰＮ）を患っている、請求項１記載の医薬組成物又は請求項２記載のキット。
【請求項４】
骨髄増殖性新生物（ＭＰＮ）が、真性赤血球増加症（ＰＶ）、本態性血小板血症（ＥＴ）又は原発性骨髄線維症（ＰＭＦ）である、請求項３記載の医薬組成物又はキット。
【請求項５】
患者が、骨髄異形成症候群を患っている、請求項１記載の医薬組成物又は請求項２記載のキット。
【請求項６】
患者が、ＪＡＫ２、ＭＰＬ又はＣＡＬＲに少なくとも１つの突然変異を有する、請求項１記載の医薬組成物又は請求項２記載のキット。
【請求項７】
ＪＡＫ２突然変異が、ＪＡＫ２Ｖ６１７Ｆ突然変異である、請求項６記載の医薬組成物又はキット。
【請求項８】
ＪＡＫ２突然変異が、Ｎ５４２−Ｅ５４３ｄｅｌ、Ｋ５３７Ｌ、Ｅ５４３−Ｄ５４４ｄｅｌ、Ｆ５３７−Ｋ３９ｄｅｌｉｎｓＬ及びＲ５４１−Ｅ５４３ｄｅｌｉｎｓＫからなる群より選択される、請求項６記載の医薬組成物又はキット。
【請求項９】
ＭＰＬ突然変異が、ＭＰＬＳ５０５Ｎ、ＭＰＬＷ５１５Ｌ、ＭＰＬＷ５１５Ｋ、ＭＰＬＷ５１５Ａ、ＰＭＬＷ５１５Ｒ及びＭＰＬＷ５１５Ｓからなる群より選択される、請求項６記載の医薬組成物又はキット。
【請求項１０】
ＭＰＬ突然変異が、Ｖ５０１Ａ、Ｓ５０５Ｃ、Ａ５０６Ｔ、Ｖ５０７Ｉ、Ｇ５０９Ｃ、Ｌ５１０Ｐ、Ｒ５１４Ｋ及びＲ５１９Ｔからなる群より選択される、請求項６記載の医薬組成物又はキット。
【請求項１１】
ＣＡＬＲ突然変異が、ＣＡＬＲｄｅｌ５２／Ｉ型；ｃ．１０９２＿１１４３ｄｅｌ；Ｌ３６７  ｆｓ＊４６及びｃ１１５４＿１１５５ｉｎｓＴＴＧＴＣ；Ｋ３８５  ｆｓ＊４７からなる群より選択される、請求項６記載の医薬組成物又はキット。
【請求項１２】
インターフェロンポリペプチドが、インターフェロン−アルファ（ＩＦＮ−α）ポリペプチドである、請求項１記載の医薬組成物又は請求項２記載のキット。
【請求項１３】
インターフェロン−アルファが、ペグ化されている、請求項１２記載の医薬組成物又はキット。
【請求項１４】
ヒ素化合物が、ヒ素、三酸化ヒ素（Ａｓ２Ｏ３）、メラルソプロール及びヒ素硫黄誘導体からなる群より選択される、請求項１記載の医薬組成物又は請求項２記載のキット。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
治療有効量の組換えヒトα−ガラクトシダーゼを含む、ファブリー病の治療を必要とするヒト対象においてファブリー病を治療するための医薬組成物であって、前記組換えヒトα−ガラクトシダーゼの前記治療有効量は０．２〜２．０ｍｇ／ｋｇであり、前記組換えヒトα−ガラクトシダーゼの単量体は長さが２０〜６００原子の連結部分を介して互いに共有結合しており、且つ前記組換えヒトα−ガラクトシダーゼは２週間超の間隔で投与されるように処方されている、医薬組成物。
【請求項２】
前記組成物は、２週間超〜４週間毎の間隔で投与されるように処方されている、請求項１に記載の医薬組成物。
【請求項３】
前記組換えヒトα−ガラクトシダーゼは、植物組換えヒトα−ガラクトシダーゼである、請求項１に記載の医薬組成物。
【請求項４】
前記植物組換えヒトα−ガラクトシダーゼは、ビス−ＮＨＳ−ＰＥＧ４５と架橋している、請求項３に記載の医薬組成物。
【請求項５】
前記間隔は３週間〜４週間である、請求項１に記載の医薬組成物。
【請求項６】
前記間隔は、１７日間〜８週間、１７日間〜６週間、１７日間〜５週間、３週間〜６週間、４週間〜６週間、および４週間〜５週間からなる群より選ばれる期間  である、請求項１に記載の医薬組成物。
【請求項７】
前記投与は、３週間毎に１回、４週間毎に１回、５週間毎に１回、および６週間毎に１回からなる群より選ばれる間隔で行われる、請求項１に記載の医薬組成物。
【請求項８】
前記治療有効量の組換えヒトα−ガラクトシダーゼは、前記対象においてＧｂ３及び／又はリゾＧｂ３を減少させる、請求項１〜７のいずれか一項に記載の医薬組成物。
【請求項９】
前記組換えヒトα−ガラクトシダーゼは、静脈投与用に処方されている、請求項１〜８のいずれか一項に記載の医薬組成物。
【請求項１０】
前記組換えヒトα−ガラクトシダーゼは、投与量が１．０ｍｇ／ｋｇまたは２．０ｍｇ／ｋｇとなるように処方されている、請求項１〜９のいずれか一項に記載の医薬組成物。
【請求項１１】
前記治療有効量の組換えヒトα−ガラクトシダーゼは、前記対象において、下記（ｉ）〜（ｖｉ）の少なくとも１種を達成可能である、請求項１〜１０のいずれか一項に記載の医薬組成物。
（ｉ）心臓パラメータＬＶＭ又はＬＶＭＩの安定性の維持又はその悪化の軽減、
（ｉｉ）血漿中Ｇｂ３濃度の低下、リゾ−Ｇｂ３濃度の低下、及び尿中Ｇｂ３濃度の低下から成る群から選択される少なくとも１種のパラメータの安定性の維持、
（ｉｉｉ）ファブリー病に関連する腎機能の悪化の軽減、
（ｉｖ）腎機能の安定性の維持
（ｖ）少なくとも１種の胃腸パラメータの安定性の維持又はその悪化の軽減、および
（ｖｉ）マインツ重症度スコア指数（ＭＳＳＩ）の安定性の維持又はその悪化の軽減。
【請求項１２】
前記組換えヒトα−ガラクトシダーゼは、投与後の循環半減期（Ｔ１／２）が少なくとも５時間、少なくとも２０時間、および少なくとも５０時間からなる群より選ばれる１種である、請求項１に記載の医薬組成物。
【請求項１３】
前記組換えヒトα−ガラクトシダーゼを１ｍｇ／ｋｇ投与した後のＣｍａｘは、少なくとも５０００ｎｇ／ｍＬであり、任意で、前記組換えヒトα−ガラクトシダーゼを２ｍｇ／ｋｇ投与した後のＣｍａｘは、少なくとも８０００ｎｇ／ｍＬである、請求項１〜１２のいずれか一項に記載の医薬組成物。
【請求項１４】
前記組換えヒトα−ガラクトシダーゼを１．０ｍｇ／ｋｇ投与した後の生物学的利用能（ＡＵＣ０〜∞）は、少なくとも１００，０００ｎｇ×時／ｍＬであり、任意で、前記組換えヒトα−ガラクトシダーゼを２．０ｍｇ／ｋｇ投与した後の生物学的利用能（ＡＵＣ０〜∞）は、少なくとも４００，０００ｎｇ×時／ｍＬである、請求項１〜１３のいずれか一項に記載の医薬組成物。
【請求項１５】
ヒト対象への投与用に処方した、組換えヒトα−ガラクトシダーゼを２．０〜５００ｍｇ含む単位剤形であって、前記組換えヒトα−ガラクトシダーゼの単量体は、ポリアルキレングリコール連結部分を介して互いに共有結合している、単位剤形。
【請求項１６】
前記ポリアルキレングリコール連結部分は、少なくとも２０個のアルキレン基を含む、請求項１５に記載の単位剤形。
【請求項１７】
前記組換えヒトα−ガラクトシダーゼは、ビス−ＮＨＳ−ＰＥＧ４５と架橋した植物組換えヒトα−ガラクトシダーゼである、請求項１５または１６に記載の単位剤形。
【請求項１８】
３５〜３７０ｍｇの植物組換えヒトα−ガラクトシダーゼを含む、請求項１７に記載の単位剤形。
【請求項１９】
３５ｍｇの植物組換えヒトα−ガラクトシダーゼを含む、請求項１７に記載の単位剤形。
【請求項２０】
４０ｍｇの植物組換えヒトα−ガラクトシダーゼを含む、請求項１７に記載の単位剤形。
【請求項２１】
５０または１００ｍｇの植物組換えヒトα−ガラクトシダーゼを含む、請求項１７に記載の単位剤形。
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
有効量のナノ粒子を含む組成物であって、
前記ナノ粒子は、
（ｉ）ワクチン抗原に特異的に結合するＴ細胞受容体（ＴＣＲ）をコードするポリヌクレオチド；及び
（ｉｉ）前記ナノ粒子の表面に暴露された抗ＣＤ４抗体又は抗ＣＤ８抗体の結合断片
を含み、
前記組成物は、前記ワクチン抗原と併用して、前記ワクチン抗原と同時に、又は前記ワクチン抗原に続いて、対象に投与される、組成物。
【請求項２】
ワクチン抗原が、ＰＳＭＡ、ＰＳＣＡ、メソセリン、ＣＤ１９、ＣＤ２０、ＲＯＲ１及びＷＴ１、又は、ＰＳＭＡ、ＰＳＣＡ、メソセリン、ＣＤ１９、ＣＤ２０、ＲＯＲ１及びＷＴ１の断片から選択されるがん抗原、又は、Ｎｅｆ（６６〜９７）、Ｎｅｆ（１１６〜１４５）、Ｇａｇ  ｐ１７（１７〜３５）、Ｇａｇ  ｐ１７〜ｐ２４（２５３〜２８４）、Ｐｏｌ３２５〜３５５（ＲＴ  １５８〜１８８）、ＣＳＰセントラルリピート領域及びＥタンパク質ドメインＩＩＩから選択されるウイルス抗原を含む、請求項１に記載の組成物。
【請求項３】
ワクチン抗原が、配列番号１３５〜１４１から選択されるがん抗原、又は、配列番号１２８〜１３４から選択されるウイルス抗原である、請求項１又は２に記載の組成物。
【請求項４】
コードされたＴＣＲが、配列番号１、４、１８、２１、２３、２５、２７、２９〜３２、３４及び３６から選択されるα鎖を含む、請求項１〜３のいずれか一項に記載の組成物。
【請求項５】
コードされたＴＣＲが、配列番号２、３、１９、２２、２４、２６、２８、３３、３５及び３７から選択されるβ鎖を含む、請求項１〜４のいずれか一項に記載の組成物。
【請求項６】
コードされたＴＣＲが、配列番号５〜１２、１５、１６及び３９から選択される配列を含む、請求項１〜５のいずれか一項に記載の組成物。
【請求項７】
さらにアジュバントと共に投与される、請求項１〜６のいずれか一項に記載の組成物。
【請求項８】
ワクチンアジュバントが、ＣｐＧ、Ｃｐｇ−２８、ポリリボイノシンポリリボシチジル酸（ポリ（Ｉ：Ｃ））、α−ガラクトセラミド、ＭＰＬＡ、モタリミド、ＥＭＤ１２０１０８１、イミキモド、ＭＧＮ１７０３、Ｇ１００、エントリモド、ヒルトノール、及び１７−ジメチルアミノエチルアミノ−１７−デメトキシゲルダナマイシン、及び／又は、ｃ−ｄｉＧＭＰ、ｃ−ｄｉＡＭＰ、ｃ−ＧＡＭＰ、ｃ−ＡＩＭＰ、（３’、２’）ｃ−ＡＩＭＰ、（２’、２’）ｃ−ＡＩＭＰ、（２’、３’）ｃ−ＡＩＭＰ、ｃ−ＡＩＭＰ（Ｓ）、ｃ−（ｄＡＭＰ−ｄＩＭＰ）、ｃ−（ｄＡＭＰ−２’ＦｄＩＭＰ）、ｃ−（２’ＦｄＡＭＰ−２’ＦｄＩＭＰ）、（２’，３’）ｃ−（ＡＭＰ−２’ＦｄＩＭＰ）、ｃ−［２’ＦｄＡＭＰ（Ｓ）−２’ＦｄＩＭＰ（Ｓ）］、ｃ−［２’ＦｄＡＭＰ（Ｓ）−２’ＦｄＩＭＰ（Ｓ）］（ＰＯＭ）２、及び／又は、ＤＭＸＡＡから選択されるＳＴＩＮＧアゴニストから選択される請求項７に記載の組成物。
【請求項９】
ポリヌクレオチドが、正電荷を帯びたポリマーマトリックスに封入されている、請求項１〜８のいずれか一項に記載の組成物。
【請求項１０】
正電荷を帯びたポリマーマトリックスが、ポリ−β−アミノエステル（ＰＢＡＥ）を含む、請求項９に記載の組成物。
【請求項１１】
正電荷を帯びたポリマーマトリックスが、負電荷を帯びたコーティングに囲まれている、請求項９又は１０に記載の組成物。
【請求項１２】
負電荷を帯びたコーティングが、ポリグルタミン酸（ＰＧＡ）を含む、請求項１１に記載の組成物。
【請求項１３】
結合断片が、配列番号４１〜５８から選択される配列を含む、請求項１〜１２のいずれか一項に記載の組成物。
【請求項１４】
ナノ粒子が、配列番号１４２を含むｉＰＢ７トランスポザーゼを含む、請求項１〜１３のいずれか一項に記載の組成物。
【請求項１５】
対象が、低Ｔ細胞数を有する、請求項１〜１４のいずれか一項に記載の組成物。
【請求項１６】
ワクチン抗原単独を投与した場合と比べて、ワクチン接種の効果を改善するための請求項１〜１５のいずれか一項に記載の組成物。
【請求項１７】
ワクチン抗原、
正電荷を帯びたポリマー、
抗ＣＤ４抗体又は抗ＣＤ８抗体の結合断片に共有結合した負電荷を帯びたポリマー、及び
前記ワクチン抗原に特異的に結合するＴ細胞受容体（ＴＣＲ）をコードするポリヌクレオチド
を含むキット。
【請求項１８】
ワクチン抗原が、ＰＳＭＡ、ＰＳＣＡ、メソセリン、ＣＤ１９、ＣＤ２０、ＲＯＲ１及びＷＴ１、又は、ＰＳＭＡ、ＰＳＣＡ、メソセリン、ＣＤ１９、ＣＤ２０、ＲＯＲ１及びＷＴ１の断片から選択されるがん抗原、又は、Ｎｅｆ（６６〜９７）、Ｎｅｆ（１１６〜１４５）、Ｇａｇ  ｐ１７（１７〜３５）、Ｇａｇ  ｐ１７〜ｐ２４（２５３〜２８４）、Ｐｏｌ３２５〜３５５（ＲＴ  １５８〜１８８）、ＣＳＰセントラルリピート領域及びＥタンパク質ドメインＩＩＩから選択されるウイルス抗原を含む、請求項１７に記載のキット。
【請求項１９】
ワクチン抗原、及び
有効量のナノ粒子
を含む組成物であって、前記ナノ粒子は、
（ｉ）前記ワクチン抗原に特異的に結合するＴ細胞受容体（ＴＣＲ）をコードするポリヌクレオチド；及び
（ｉｉ）前記ナノ粒子の表面に暴露された抗ＣＤ４抗体又は抗ＣＤ８抗体の結合断片
を含む、組成物。
【請求項２０】
ワクチン抗原が、ＰＳＭＡ、ＰＳＣＡ、メソセリン、ＣＤ１９、ＣＤ２０、ＲＯＲ１及びＷＴ１、又は、ＰＳＭＡ、ＰＳＣＡ、メソセリン、ＣＤ１９、ＣＤ２０、ＲＯＲ１及びＷＴ１の断片から選択されるがん抗原、又は、Ｎｅｆ（６６〜９７）、Ｎｅｆ（１１６〜１４５）、Ｇａｇ  ｐ１７（１７〜３５）、Ｇａｇ  ｐ１７〜ｐ２４（２５３〜２８４）、Ｐｏｌ３２５〜３５５（ＲＴ  １５８〜１８８）、ＣＳＰセントラルリピート領域及びＥタンパク質ドメインＩＩＩから選択されるウイルス抗原を含む、請求項１９に記載の組成物。
【請求項２１】
アジュバントをさらに含む、請求項１９又は２０に記載の組成物。
【請求項２２】
ポリヌクレオチドが、正電荷を帯びたポリマーマトリックスに封入されている、請求項１９〜２１のいずれか一項に記載の組成物。
【請求項２３】
正電荷を帯びたポリマーマトリックスが、ポリ−β−アミノエステル（ＰＢＡＥ）を含む、請求項２２に記載の組成物。
【請求項２４】
正電荷を帯びたポリマーマトリックスが、負電荷を帯びたコーティングに囲まれている、請求項２２又は２３に記載の組成物。
【請求項２５】
負電荷を帯びたコーティングが、ポリグルタミン酸（ＰＧＡ）を含む、請求項２４に記載の組成物。
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
対象に、植え込み型送達デバイスを介して持続的な皮下用量のグルカゴン様ペプチド−１（ＧＬＰ−１）アナログを投与することを含む方法であって、
前記対象が、前記植え込み型送達デバイスの植え込み後及び前記ＧＬＰ−１アナログの持続的な皮下投薬中に、薬物を経口的に同時投与され、
前記薬物が、２型糖尿病以外の疾患または障害の処置のために投与される、前記方法。
【請求項２】
２型糖尿病以外の前記疾患または障害が、疼痛、血中コレステロールレベル上昇、心臓疾患、高血圧、心臓発作、卒中、または凝血からなる群より選択される、請求項１に記載の方法。
【請求項３】
前記薬物が、小児の受胎を予防するために投与される、請求項１に記載の方法。
【請求項４】
前記薬物が、アセトアミノフェン、アトルバスタチン、リシノプリル、ジゴキシン、エチニルエストラジオール、レボノルゲストレル、Ｒ−ワルファリン、及びＳ−ワルファリンからなる群より選択される、請求項１に記載の方法。
【請求項５】
前記薬物が、鎮痛剤、経口避妊薬、スタチン、高血圧及び／または心臓疾患の処置または予防のための薬物、アンジオテンシン変換酵素（ＡＣＥ）阻害剤、心臓発作、卒中、高血圧、または凝血の処置または予防のための薬物、及び抗凝血剤から成る群から選択される、請求項１に記載の方法。
【請求項６】
前記薬物が用量調整なしで同時投与される、請求項１に記載の方法。
【請求項７】
前記薬物が前記対象によって自己投与される、請求項１に記載の方法。
【請求項８】
前記ＧＬＰ−１アナログがエキセナチドである、請求項１に記載の方法。
【請求項９】
前記ＧＬＰ−１アナログがエキセナチド以外である、請求項１に記載の方法。
【請求項１０】
前記ＧＬＰ−１アナログが、Ｏｚｅｍｐｉｃ（登録商標）（セマグルチド）、Ｖｉｃｔｏｚａ（登録商標）（リラグルチド）、Ａｄｌｙｘｉｎ（登録商標）（リキシセナチド）、Ｔａｎｚｅｕｍ（登録商標）（アルビグルチド）、及びＴｒｕｌｉｃｉｔｙ（登録商標）（デュラグルチド）からなる群より選択される、請求項９に記載の方法。
【請求項１１】
前記ＧＬＰ−１アナログが、代謝障害の処置のために投与される、請求項１〜１０のいずれか１項に記載の方法。
【請求項１２】
前記ＧＬＰ−１アナログが、２型糖尿病の処置のために投与される、請求項１〜１０のいずれか１項に記載の方法。
【請求項１３】
前記ＧＬＰ−１アナログが、肥満の処置のために投与される、請求項１〜１０のいずれか１項に記載の方法。
【請求項１４】
前記ＧＬＰ−１アナログが、前記対象における体重減少をもたらすために投与される、請求項１〜１０のいずれか１項に記載の方法。
【請求項１５】
前記対象が、エキセナチド２０μｇ／日の用量を投与される、請求項１〜８のいずれか１項に記載の方法。
【請求項１６】
前記対象が、エキセナチド６０μｇ／日の用量を投与される、請求項１〜８のいずれか１項に記載の方法。
【請求項１７】
前記対象がヒトである、請求項１〜１６のいずれか１項に記載の方法。
【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
金ナノ粒子（ＡｕＮＰ）と、ジチオール化ジエチレントリアミン五酢酸（ＤＴＤＴＰＡ）と、チオクト酸末端ペプチドと、ドキソルビシンと、を含み、
前記ＤＴＤＴＰＡが少なくとも１つのＡｕ−Ｓ結合を介して前記金ナノ粒子表面に直接連結され、
前記チオクト酸末端ペプチドが少なくとも１つのＡｕ−Ｓ結合を介して前記金ナノ粒子表面に直接連結され、
前記ドキソルビシンが前記ＤＴＤＴＰＡに連結されている、
ナノコンジュゲート。
【請求項２】
前記チオクト酸末端ペプチドが、チオクト酸末端ボンベシンである、請求項１に記載のナノコンジュゲート。
【請求項３】
前記チオクト酸末端ボンベシンが、配列：リポ酸−Ｇｌｎ−Ｔｒｐ−Ａｌａ−Ｖａｌ−Ｇｌｙ−Ｈｉｓ−Ｌｅｕ−Ｍｅｔ−ＮＨ２を有する、請求項２に記載のナノコンジュゲート。
【請求項４】
前記ドキソルビシンが、アミド結合を介して前記ＤＴＤＴＰＡに連結されている、請求項１〜３のいずれか一項に記載のナノコンジュゲート。
【請求項５】
ＡｕＮＰ−ＤＴＤＴＰＡナノ粒子を前記チオクト酸末端ペプチドとコンジュゲートさせることを含むプロセスによって調製され、前記金ナノ粒子中の金及び前記チオクト酸末端ペプチドが、約１：０．５〜約１：４の化学量論比でコンジュゲーション反応中に存在する、請求項１〜４のいずれか一項に記載のナノコンジュゲート。
【請求項６】
前記金ナノ粒子中の金及び前記チオクト酸末端ペプチドが、約１：２の化学量論比で前記コンジュゲーション反応中に存在する、請求項５に記載のナノコンジュゲート。
【請求項７】
前記チオクト酸末端ペプチドが、前記ナノコンジュゲートの約１重量％〜約４０重量％を構成する、請求項１〜６のいずれか一項に記載のナノコンジュゲート。
【請求項８】
前記チオクト酸末端ペプチドが、前記ナノコンジュゲートの約２０重量％〜約３０重量％を構成する、請求項７に記載のナノコンジュゲート。
【請求項９】
前記ドキソルビシンが、前記ナノコンジュゲートの約０．０１重量％〜約０．０５重量％を構成する、請求項１〜８のいずれか一項に記載のナノコンジュゲート。
【請求項１０】
前記ドキソルビシンが、前記ナノコンジュゲートの約０．０３重量％を構成する、請求項９に記載のナノコンジュゲート。
【請求項１１】
前記ナノコンジュゲートが、動的光散乱（ＤＬＳ）によって測定されるとき、約１１０ｎｍ〜約１４０ｎｍの流体力学的直径を有する、請求項１〜１０のいずれか一項に記載のナノコンジュゲート。
【請求項１２】
前記ナノコンジュゲートが、動的光散乱（ＤＬＳ）によって測定されるとき、約１２０ｎｍ〜約１３０ｎｍの流体力学的直径を有する、請求項１１に記載のナノコンジュゲート。
【請求項１３】
前記ナノコンジュゲートが、約−１５ｍＶ〜約−３０ｍＶのゼータ電位値を有する、請求項１〜１２のいずれか一項に記載のナノコンジュゲート。
【請求項１４】
前記ナノコンジュゲートが、約−２０ｍＶ〜約−２５ｍＶのゼータ電位値を有する、請求項１３に記載のナノコンジュゲート。
【請求項１５】
請求項１〜１４のいずれか一項に記載のナノコンジュゲートと、医薬的に許容される担体と、を含む、医薬組成物。
【請求項１６】
治療有効量の前記ナノコンジュゲートを、治療を必要とする対象に投与することを含む、癌の治療に使用するための、請求項１〜１４のいずれか一項に記載のナノコンジュゲート。
【請求項１７】
前記癌が、急性リンパ性白血病（ＡＬＬ）、急性骨髄芽球性白血病（ＡＭＬ）、骨肉腫、乳癌、子宮内膜癌、胃癌、頭頸部癌、ホジキンリンパ腫、非ホジキンリンパ腫、肝臓癌、腎臓癌、多発性骨髄腫、神経芽腫、卵巣癌、肺癌、軟部肉腫、胸腺腫、甲状腺癌、膀胱癌、子宮肉腫、前立腺癌、結腸癌、卵巣癌、非小細胞肺癌、膵臓癌、ウィルムス腫瘍、及びワルデンシュトレームマクログロブリン血症からなる群から選択される、請求項１６に記載のナノコンジュゲート。
【請求項１８】
前記ナノコンジュゲートが、注射によって前記対象に投与される、請求項１６又は１７に記載のナノコンジュゲート。
【請求項１９】
金ナノ粒子（ＡｕＮＰ）と、ジチオール化ジエチレントリアミン五酢酸（ＤＴＤＴＰＡ）と、ドキソルビシンとを含み、前記ＤＴＤＴＰＡが少なくとも１つのＡｕ−Ｓ結合を介して前記金ナノ粒子表面に直接連結され、前記ドキソルビシンが前記ＤＴＤＴＰＡに連結されている、ナノコンジュゲート。
【請求項２０】
請求項１９に記載のナノコンジュゲートと、医薬的に許容される担体と、を含む、医薬組成物。
【請求項２１】
治療有効量の前記ナノコンジュゲートを、治療を必要とする対象に投与することを含む、癌の治療に使用するための、請求項１９に記載のナノコンジュゲート。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
ｍＴＯＲ阻害剤の無水組成物であって、
有効量の１またはそれ以上のｍＴＯＲ阻害剤と、１またはそれ以上の溶媒と、１またはそれ以上のゲル化剤と、１またはそれ以上の抗酸化剤と、選択的に薬学的に許容される賦形剤と
を有する、無水組成物。
【請求項２】
前記組成物が、高分子界面活性剤、保湿剤、冷却剤、レオロジー調整剤、ｐＨ調整剤、防腐剤、およびこれらの組み合わせをさらに有する、請求項１に記載の無水組成物。
【請求項３】
前記ｍＴＯＲ阻害剤が全組成物の約０．１重量％〜約２０重量％を占める、請求項１に記載の無水組成物。
【請求項４】
前記溶媒が全組成物の約１重量％〜約９９．９重量％を占める、請求項１に記載の無水組成物。
【請求項５】
前記ゲル化剤が全組成物の約０．１重量％〜約５重量％を占める、請求項１に記載の無水組成物。
【請求項６】
前記抗酸化剤が全組成物の約０．００１重量％〜約１重量％を占める、請求項１に記載の無水組成物。
【請求項７】
前記冷却剤が全組成物の約０．５重量％〜約１０重量％を占める、請求項２に記載の無水組成物。
【請求項８】
前記高分子界面活性剤が全組成物の約０．１重量％〜約５０重量％を占める、請求項２に記載の無水組成物。
【請求項９】
前記保湿剤が全組成物の約０．５重量％〜約１０重量％を占める、請求項２に記載の無水組成物。
【請求項１０】
前記ｍＴＯＲ阻害剤が、ラパマイシン（シロリムス）、エベロリムス、ピメクロリムス、リダホロリムス、テムシロリムス、ゾタロリムス、ラパマイシンプロドラッグＡＰ−２３５７３、ＡＰ−２３４８１、トリン−１、トリン−２、ＷＹＥ−３５４、ダクトリシブ、ＢＧＴ２２６、ＳＦ１１２６、ＰＫＩ−５８７、ＩＮＫ１２８、ＡＺＤ８０５５、ＮＶＰＢＥ２３５、ＡＺＤ２０１４、トルキニブ（ＰＰ２４２）、ＰＰ３０、ＫＵ−００６３７９４、ＷＡＹ−６００、ＷＹＥ−６８７、ＷＹＥ−３５４、ＯＳ１０２７、オミパリシブ、ウォルトマンニン、ＬＹ２９４００２、ＰＩ−１０３、ＸＬ７６５、およびこれらの組み合わせからなる群から選択される、請求項１に記載の無水組成物。
【請求項１１】
前記溶媒が、プロピレングリコール、ベンジルアルコール、ＤＭＳＯ、ジグリコール、プロピレングリコールモノカプリレート、ジエチレングリコールモノエチルエーテル、テトラヒドロフルフリルアルコールポリエチレングリコールエーテル、ブチレングリコール、ジエチレングリコール、トリエチレングリコール、ポリエチレングリコール、アジピン酸ジイソプロピル、イソプロピルアルコール、グリセロール、およびこれらの組み合わせからなる群から選択される、請求項１に記載の無水組成物。
【請求項１２】
前記溶媒が、プロピレングリコール、ジエチレングリコールモノエチルエーテル、アジピン酸ジイソプロピル、グリセロール、ポリエチレングリコール、イソプロピルアルコール、およびこれらの組み合わせからなる群から選択される、請求項１１に記載の無水組成物。
【請求項１３】
前記ゲル化剤が、ヒドロキシプロピルセルロース、カルボマー９８１、カルボマー９３４Ｐ、グリセリルトリス１２−ヒドロキシステアレート、ヒドロキシステアリン、プロピレンカーボネート、ポリビニルピロリジン、およびこれらの組み合わせから選択される、請求項１に記載の無水組成物。
【請求項１４】
前記抗酸化剤が、アスコルビルパルミテート、プロピルガレート、α−トコフェロール、およびこれらの組み合わせからなる群から選択される、請求項１に記載の無水組成物。
【請求項１５】
前記組成物が局所用組成物である、請求項１に記載の無水組成物。
【請求項１６】
前記組成物がアルコールを含まない、請求項２に記載の無水組成物。
【請求項１７】
それを必要とする対象において皮膚疾患を治療するための組成物であって、
前記組成物は、有効量の１またはそれ以上のｍＴＯＲ阻害剤と、１またはそれ以上の溶媒と、１またはそれ以上のゲル化剤と、１またはそれ以上の抗酸化剤とを有する有効量の無水組成物を有する、組成物。
【請求項１８】
前記皮膚疾患が、足底角化症、水疱、結節性硬化症、脂漏性角化症、毛孔性角化症、表皮水疱症、多発性微小角化症、レンチキュラ性角膜症、鬱血性皮膚炎、限局性先端角化症、濾胞性角化症、苔癬様角化症（扁平苔癬、硬化性苔癬）、慢性侵食性口腔苔癬、コンラディ−エルティナーマン、表皮剥離性魚鱗癬、エリスロケラトデルマ・ビアビリス、魚鱗癬症、ＫＩＤ症候群、ネザートン症候群、オルムステッド症候群、レフサム病、シェーグレンラルソン症候群、光線性角化症、先天性爪肥厚症、多汗症、いぼ、角質症、皮膚炎（接触性皮膚炎、薬物性皮膚炎、アレルギー性皮膚炎、貨幣状皮膚炎、口囲皮膚炎、神経皮膚炎、脂漏性皮膚炎、およびアトピー性皮膚炎）、乾癬、にきび、カルブンケル症、蜂巣炎、せつ腫症、肉芽腫、黒色表皮症、水虫、細菌性膣炎、亀頭炎、隆起性皮膚線維肉腫、基底細胞癌、扁平上皮細胞癌、黒色腫、メルケル細胞癌、ケロイド、嚢胞性リンパ管腫、海綿状リンパ管腫、静脈奇形、表皮母斑、臭汗症、皮膚糸状菌症、カンジダ症、爪甲真菌症、白癬（ティネアアルバ（tinea alba）、足白癬、爪白癬、手白癬、頑癬、体部白癬、頭部白癬、顔白癬、白癬性毛瘡、渦状癬、黒癬、癜風、ティネアインコグニト（tinea incognito））、湿疹、発汗異常性湿疹、褥瘡性潰瘍、膿瘡、丹毒、多形性紅斑、膿痂疹、虫刺され、性器疣贅、血管腫、ヘルペス、じんましん、多汗症、フィラリア症、黒子、狼瘡、汗疹、搾乳者結節、伝染性軟属腫、ハエうじ症、疥癬、皮膚幼虫移行症、せつ性ハエ幼虫症、移動性ハエうじ症、シラミ寄生症、星芒状血管腫、脂肪織炎、爪周囲炎、類天疱瘡、粃糠疹、外陰掻痒症、酒さ、トリコモナス症、膣内イースト菌感染症、白斑、乾皮症、血管線維腫、バナヤン・ライリー・ルバルカバ症候群、基底細胞母斑症候群、バート・ホッグ・デュベ症候群、青色ゴムまり様母斑症候群、カウデン病、皮膚Ｔ細胞性リンパ腫、びまん性小球性リンパ管形成異常、単純型表皮水疱症、乳房外ページェット、家族性多発性円板状線維腫、ヘイリーヘイリー病、乳児血管腫、若年性ポリポーシス症候群、カポジ肉腫、カポジ型血管内皮腫、ケロイド瘢痕病、レルミット・ダクロス症候群、転移性黒色腫、ミュア・トール症候群、神経線維腫症、非黒色腫皮膚癌、口腔移植片対宿主病、尋常性天疱瘡、ポイツ・ジェガース症候群、ポートワイン母斑、プロテウス症候群、プロテウス様症候群、マフッチ症候群の難治性血管内皮腫、スタージ・ウェーバー症候群、イヌの遺伝性足蹠角化症（ＨＦＨ）、皮膚サルコイドーシス、皮膚キャッスルマン病、水疱性類天疱瘡、およびこれらの組み合わせからなる群から選択される、請求項１７に記載の組成物。
【請求項１９】
前記皮膚疾患が先天性爪肥厚症またはその症状である、請求項１７に記載の組成物。
【請求項２０】
前記皮膚疾患が血管線維腫である、請求項１７に記載の組成物。
【請求項２１】
疼痛、かゆみ、またはこれらの組み合わせから選択される先天性爪肥厚症の症状が軽減される、請求項１８に記載の組成物。
【請求項２２】
前記組成物が、高分子界面活性剤、保湿剤、冷却剤、レオロジー調整剤、非水性ｐＨ調整剤、防腐剤、およびこれらの組み合わせをさらに含む、請求項１７に記載の組成物。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2020504186.tif 000001
の化合物であって、
式中、
Ａは任意選択で１もしくは複数の重水素で置換されたＣ６シクロアルキルを表し、
Ｒ１は任意選択で１もしくは複数の重水素で置換されたＣ１アルキルを表し、
Ｒ２はＲ６から選択される置換基で置換され、且つ任意選択で１もしくは複数の重水素で置換されたＣ１アルキルを表し、
Ｒ３はＲ７から選択される置換基で置換され、且つ任意選択で１もしくは複数の重水素で置換されたＣ２アルキルを表し、
Ｒ４は水素もしくは重水素を表し、
Ｒ５は水素もしくは重水素を表し、
Ｒ６はシアノを表し、
Ｒ７はヒドロキシルを表す
前記化合物、またはその薬学的に許容される塩、水和物、もしくは溶媒和物。
【請求項２】
一般式（Ｉ）が一般式（Ｉａ）
【化２】
2020504186.tif 000002
であり、
式中、
Ｒ１及びＲ２、Ｒ４〜Ｒ７は請求項１に定義されたとおりであり、
Ｒａ、Ｒｂ、Ｒｃ、及びＲｄはそれぞれ独立に、水素及び重水素から選択される、
請求項１に記載の化合物、またはその薬学的に許容される塩、水和物、もしくは溶媒和物。
【請求項３】
一般式（Ｉ）が一般式（Ｉｂ）
【化３】
2020504186.tif 000003
であり、
式中、
Ｒ１及びＲ２、Ｒ４〜Ｒ７、Ｒａ、Ｒｂ、Ｒｃ、ならびにＲｄは、請求項１または２に定義されたとおりである、
請求項１または２に記載の化合物、またはその薬学的に許容される塩、水和物、もしくは溶媒和物。
【請求項４】
トランス−２−［４−［２−［１−ヒドロキシエチル］−６−（メチルアミノ）イミダゾ［４，５−ｃ］ピリジン−１−イル］シクロヘキシル］アセトニトリル、
トランス−２−［４−［２−［（１Ｓ）−１−ヒドロキシエチル］−６−（メチルアミノ）イミダゾ［４，５−ｃ］ピリジン−１−イル］シクロヘキシル］アセトニトリル、
トランス−２−［４−［２−［（１Ｒ）−１−ヒドロキシエチル］−６−（メチルアミノ）イミダゾ［４，５−ｃ］ピリジン−１−イル］シクロヘキシル］アセトニトリル、
トランス−２−［４−［２−［（１Ｒ）−１−ヒドロキシエチル］−６−（トリジュウテリオメチルアミノ）イミダゾ［４，５−ｃ］ピリジン−１−イル］シクロヘキシル］アセトニトリル、
トランス−２−［４−［２−［１，２，２，２−テトラジュウテリオ−１−ヒドロキシエチル］−６−（メチルアミノ）イミダゾ［４，５−ｃ］ピリジン−１−イル］シクロヘキシル］アセトニトリル、
シス−２−［４−［２−［１−ヒドロキシエチル］−６−（メチルアミノ）イミダゾ［４，５−ｃ］ピリジン−１−イル］シクロヘキシル］アセトニトリル、及び
シス−２−［４−［２−［（１Ｒ）−１−ヒドロキシエチル］−６−（メチルアミノ）イミダゾ［４，５−ｃ］ピリジン−１−イル］シクロヘキシル］アセトニトリル
から選択される、請求項１〜３のいずれか１項に記載の化合物、またはその薬学的に許容される塩、水和物、もしくは溶媒和物。
【請求項５】
トランス−２−［４−［２−［（１Ｒ）−１−ヒドロキシエチル］−６−（メチルアミノ）イミダゾ［４，５−ｃ］ピリジン−１−イル］シクロヘキシル］アセトニトリルである、請求項１〜４のいずれか１項に記載の化合物、またはその薬学的に許容される塩。
【請求項６】
請求項１〜５のいずれか１項に記載の化合物、またはその薬学的に許容される塩、水和物、もしくは溶媒和物を、薬学的に許容されるビヒクルもしくは賦形剤または薬学的に許容される担体（複数可）と共に含む医薬組成物。
【請求項７】
１種または複数種の他の治療上活性な化合物を共に含む、請求項６に記載の医薬組成物。
【請求項８】
ＪＡＫ１キナ−ゼ活性の阻害に応答性である疾患の治療における使用のための、請求項６または７に記載の医薬組成物。
【請求項９】
自己免疫疾患などの免疫系の疾患、もしくは免疫系の調節解除に関連する疾患の予防及び／または治療における使用のための、請求項６〜８のいずれか１項に記載の医薬組成物。
【請求項１０】
アトピー性皮膚炎の予防及び／または治療における使用のための、請求項６〜９のいずれか１項に記載の医薬組成物。
【請求項１１】
２−［トランス−４−［（５−アミノ−２−クロロピリジン−４−イル）アミノ］シクロヘキシル］アセトニトリルである化合物、またはその塩。
【請求項１２】
２−［トランス−４−［６−クロロ−２−（１−ヒドロキシエチル）−１Ｈ−イミダゾ［４，５−ｃ］ピリジン−１−イル］シクロヘキシル］アセトニトリル、
２−［トランス−４−［６−クロロ−２−［（１Ｒ）−１−ヒドロキシエチル］−１Ｈ−イミダゾ［４，５−ｃ］ピリジン−１−イル］シクロヘキシル］アセトニトリル、及び
トランス−２−［４−［６−クロロ−２−（１，２，２，２−テトラジュウテリオ−１−ヒドロキシエチル）イミダゾ［４，５−ｃ］ピリジン−１−イル］シクロヘキシル］アセトニトリル
から選択される化合物、またはその塩。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
ヒト患者における、脳虚血性イベントによって引き起こされるニューロン損傷を軽減するための医薬組成物であって、前記患者に有効量を投与するための、血栓溶解剤および血管内皮増殖因子（ＶＥＧＦ）受容体介在シグナル伝達（ＶＥＧＦ−ＲＳＴ）阻害剤を含み、
ここで、該阻害剤の有効量は、２４時間にわたって前記ＶＥＧＦ−ＲＳＴ活性の５０％超を阻害し、かつ、該阻害剤の血中濃度レベルが、少なくとも投与後４８時間までに薬学的活性レベルより低くなるまで減少させる、医薬組成物。
【請求項２】
前記ＶＥＧＦ−ＲＳＴの阻害剤が、ＶＥＧＦ若しくはＶＥＧＦ−Ｒに特異的に結合し、かつそれに対してアンタゴニスティックである抗体またはその抗原結合フラグメントであるか、あるいは、抗体ミミックであるか、あるいは、ＶＥＧＦ−Ｒシグナル伝達に関連するキナーゼの阻害剤である、請求項１に記載の医薬組成物。
【請求項３】
前記患者が、前記虚血性イベントから生じる血液脳関門（ＢＢＢ）完全性の喪失について検査された患者である、請求項１又は請求項２に記載の医薬組成物。
【請求項４】
前記検査が、血中の総Ｓ１００Ｂおよび／またはＳ１００ＢＢホモ二量体を測定することを含む、請求項３に記載の医薬組成物。
【請求項５】
前記血栓溶解剤が、組織型プラスミノーゲンアクチベータ（ｔＰＡ）、ウロキナーゼ、ストレプトキナーゼ、デスモテプラーゼ、単鎖ウロキナーゼ型プラスミノーゲンアクチベータ（ｕＰＡ）、または機械的血栓溶解を含む、請求項１〜請求項４のいずれか１項に記載の医薬組成物。
【請求項６】
前記キナーゼ阻害剤が、チボザニブ（Ｔｉｖｏｚａｎｉｂ）、アパチニブ（Ａｐａｔｉｎｉｂ）、レンバチニブ（Ｌｅｎｖａｔｉｎｉｂ）、アキシチニブ（Ａｘｉｔｉｎｉｂ）、イムチニブ（Ｉｍｔｉｎｉｂ）、モテサニブ（Ｍｏｔｅｓａｎｉｂ）、フルキチニブ（Ｆｒｕｑｕｉｔｉｎｉｂ）、ブリバニブ（Ｂｒｉｖａｎｉｂ）、セジラニブ（Ｃｅｄｉｒａｎｉｂ）、レゴラフェニブ（Ｒｅｇｏｒａｆｅｎｉｂ）、スルファチニブ（Ｓｕｌｆａｔｉｎｉｂ）、およびスニチニブ（Ｓｕｎｉｔｉｎｉｂ）からなる群より選択される、請求項１〜請求項５のいずれか１項に記載の医薬組成物。
【請求項７】
前記キナーゼ阻害剤が、ベバシズマブ（Ｂｅｖａｃｉｚｕｍａｂ）である、請求項１〜請求項５のいずれか１項に記載の医薬組成物。
【請求項８】
シグナル伝達の５０％超を２４時間にわたって阻害するのに有効な測定用量のＶＥＧＦ−ＲＳＴの阻害剤を含んでなる、ヒト患者における脳虚血性イベントによって引き起こされるニューロン損傷を軽減するための医薬組成物であって、
該医薬組成物は、該虚血性イベントに関連する血塊の機械的除去と関連して投与され、
ここで、前記測定用量は、該阻害剤の血中濃度レベルが、少なくとも投与後４８時間までに薬学的活性レベルより低くなるまで減少させる、医薬組成物。
【請求項９】
ＶＥＧＦ−ＲＳＴの阻害剤が、ＶＥＧＦ若しくはＶＥＧＦ−Ｒに特異的に結合し、かつそれに対してアンタゴニスティックである抗体またはその抗原結合フラグメント、あるいはチロシンキナーゼ阻害剤である、請求項８に記載の医薬組成物
【請求項１０】
前記機械的除去用のデバイスの一部であるカテーテルにより投与されるための、請求項９に記載の医薬組成物であって、
ここで、前記機械的除去のためのカテーテルを含むデバイスが、前記機械的除去を行うためのものである、医薬組成物。
【請求項１１】
前記阻害剤が、ベバシズマブ（Ｂｅｖａｃｉｚｕｍａｂ）である、請求項９又は請求項１０に記載の医薬組成物。
【請求項１２】
前記患者が、前記虚血性イベントから生じる血液脳関門（ＢＢＢ）完全性の喪失について検査された患者である、請求項９〜請求項１１のいずれか１項に記載の医薬組成物。
【請求項１３】
前記検査が、血中の総Ｓ１００Ｂおよび／またはＳ１００ＢＢホモ二量体を測定することを含む、請求項１２に記載の医薬組成物。
【請求項１４】
前記血栓溶解剤が、組織型プラスミノーゲンアクチベータ（ｔＰＡ）、ウロキナーゼ、ストレプトキナーゼ、デスモテプラーゼ、単鎖ウロキナーゼ型プラスミノーゲンアクチベータ（ｕＰＡ）、または機械的血栓溶解を含む、請求項９〜請求項１３のいずれか１項に記載の医薬組成物。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
１，５−ペンタンジオールに溶解した４−ｔ−ブチルシクロヘキサノールを含んでなる、酒さの処置および／または予防において、ポンガミア油と組み合わせて使用するための、組成物。
【請求項２】
ポンガミア油を含んでなる、酒さの処置および／または予防において、１，５−ペンタンジオールに溶解した４−ｔ−ブチルシクロヘキサノールと組み合わせて使用するための、組成物。
【請求項３】
酒さが、紅斑毛細管拡張性酒さ、丘疹膿疱性酒さ、腫瘤型酒さ、眼性酒さからなる群から選択されることを特徴とする、請求項１または２に記載の組成物。
【請求項４】
局所適用に好適な形態であることを特徴とする、請求項１〜３のいずれか一項に記載の組成物。
【請求項５】
少なくとも１つの皮膚科学的または皮膚化粧的に許容可能な賦形剤と組み合わせて、ポンガミア油と、１，５−ペンタンジオールに溶解した４−ｔ−ブチルシクロヘキサノールの組合せを含んでなる、酒さの処置および／または予防のための皮膚科学用または皮膚化粧用組成物。
【請求項６】
酒さが、紅斑毛細管拡張性酒さ、丘疹膿疱性酒さ、腫瘤型酒さ、眼性酒さからなる群から選択されることを特徴とする、請求項５に記載の皮膚科学用または皮膚化粧用組成物。
【請求項７】
前記組成物の総重量に対して０．０１〜５重量％、好ましくは０．０５〜２重量％のポンガミア油を含んでなることを特徴とする、請求項５または６に記載の皮膚科学用または皮膚化粧用組成物。
【請求項８】
１，５−ペンタンジオールに溶解した、前記組成物の総重量に対して０．０１〜５重量％、好ましくは０．０５〜２重量％の４−ｔ−ブチルシクロヘキサノールを含んでなることを特徴とする、請求項５〜７のいずれか一項に記載の皮膚科学用または皮膚化粧用組成物。
【請求項９】
局所適用に好適な形態であることを特徴とする、請求項５〜８のいずれか一項に記載の皮膚科学用または皮膚化粧用組成物。
【請求項１０】
１，５−ペンタンジオールに溶解した４−ｔ−ブチルシクロヘキサノールを含んでなる、皮膚発赤の予防および／または処置において、ポンガミア油と組み合わせて使用するための、組成物。
【請求項１１】
ポンガミア油を含んでなる、皮膚発赤の予防および／または処置において、１，５−ペンタンジオールに溶解した４−ｔ−ブチルシクロヘキサノールと組み合わせて使用するための、組成物。
【請求項１２】
ポンガミア油と、１，５−ペンタンジオールに溶解した４−ｔ−ブチルシクロヘキサノールとを含んでなる組合せの局所適用を含んでなる、皮膚発赤を軽減および／または予防するための化粧的方法。
【請求項１３】
ポンガミア油と、１，５−ペンタンジオールに溶解した４−ｔ−ブチルシクロヘキサノールとを含んでなる組合せと、化粧的に許容可能な賦形剤、より特定的には局所適用のために許容可能な賦形剤を含んでなる、皮膚発赤を軽減および／または予防するための化粧用組成物。
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
配列番号１から２１に提示されるＣＤ８＋Ｔ細胞エピトープのうち１つ以上を含むインフルエンザウイルスペプチドを含むワクチン組成物であって、前記ペプチドが金ナノ粒子と結合する前記ワクチン組成物。
【請求項２】
請求項１に記載のワクチン組成物であって、前記のＣＤ８＋Ｔ細胞エピトープを含むインフルエンザウイルスペプチドがリンカーを介して前記ナノ粒子と結合する前記ワクチン組成物。
【請求項３】
請求項１又は２に記載の前記ワクチン組成物であって、それぞれが異なるＣＤ８＋Ｔ細胞エピトープを含む２つ以上のインフルエンザウイルスペプチドを含む前記ワクチン組成物。
【請求項４】
請求項３に記載の前記ワクチン組成物であって、前記の２つ以上のインフルエンザウイルスペプチドが前記の配列番号１から２１に提示されるペプチドのうち２つ以上である前記ワクチン組成物。
【請求項５】
請求項１〜４のいずれか１つに記載の前記ワクチン組成物であって、ＣＤ４＋Ｔ細胞エピトープを含むインフルエンザウイルスペプチドをさらに含む前記ワクチン組成物。
【請求項６】
請求項５に記載のワクチン組成物であって、前記のＣＤ４＋Ｔ細胞エピトープを含むインフルエンザウイルスペプチドがナノ粒子と結合する前記ワクチン組成物。
【請求項７】
請求項６に記載のワクチン組成物であって、前記のＣＤ４＋Ｔ細胞エピトープを含むインフルエンザウイルスペプチドが結合するナノ粒子が金ナノ粒子、リン酸カルシウムナノ粒子、またはケイ素ナノ粒子である前記ワクチン組成物。
【請求項８】
請求項６または７に記載のワクチン組成物であって、前記のＣＤ４＋Ｔ細胞エピトープを含むインフルエンザウイルスペプチドがリンカーを介して前記ナノ粒子と結合する前記ワクチン組成物。
【請求項９】
請求項１〜８のいずれか１つに記載の前記ワクチン組成物であって、前記のＣＤ８＋Ｔ細胞エピトープを含むインフルエンザウイルスペプチドがＣＤ４＋Ｔ細胞エピトープをさらに含む前記ワクチン組成物。
【請求項１０】
請求項９に記載の前記ワクチン組成物であって、前記のＣＤ８＋Ｔ細胞エピトープおよびＣＤ４＋Ｔ細胞エピトープを含むインフルエンザウイルスペプチドが配列番号２２から２７に提示するペプチドのうち１つ以上を含む前記ワクチン組成物。
【請求項１１】
請求項１〜１０のいずれか１つに記載の前記ワクチン組成物であって、それぞれが相異なるＨＬＡスーパータイプと相互作用するＣＤ８＋Ｔ細胞エピトープを含む少なくとも２つのインフルエンザウイルスペプチドを含む前記ワクチン組成物。
【請求項１２】
請求項１〜１１のいずれか１つに記載の前記ワクチン組成物であって、少なくとも２つの相異なるＨＬＡスーパータイプと相互作用する少なくとも１つの免疫原性ペプチドを含む前記ワクチン組成物。
【請求項１３】
請求項１１または１２に記載の前記ワクチン組成物であって、前記の少なくとも２つの相異なるＨＬＡスーパータイプがＨＬＡ−Ａ１、ＨＬＡ−Ａ２、ＨＬＡ−Ａ３、ＨＬＡ−Ａ２４、ＨＬＡ−Ｂ７、ＨＬＡ−Ｂ８、ＨＬＡ−Ｂ２７、ＨＬＡ−Ｂ４４、ＨＬＡ−Ｂ５８およびＨＬＡ−Ｂ６２から選択される前記ワクチン組成物。
【請求項１４】
請求項１３に記載の前記ワクチン組成物であって、前記の少なくとの２つの相異なるＨＬＡスーパータイプがＨＡＬ−Ａ２およびＨＬＡ−Ａ２４である前記ワクチン組成物。
【請求項１５】
個人におけるインフルエンザウイルス感染を予防または治療する方法における使用を目的とした請求項１から１４のいずれか１つに記載の前記ワクチン組成物。
【請求項１６】
請求項１５の記載に従った使用を目的とした前記ワクチン組成物であって、前記インフルエンザウイルスが汎流行インフルエンザウイルスである前記ワクチン組成物。